(57)【要約】      （修正有）【課題】眼鏡に必須条件で有った前傾角が備わった「前傾角付テンプル開閉一体型鎧」を提供する。【解決手段】前面板２−１と後部函２−２が合体し後部が箱状となり、前面上部から前傾角相応の傾斜角度を持って曲面状にテンプル３−１のカム３−２を嵌め込むための溝２−３Ａを設け且つ、函２−２の中央部に前面板２−１背面に沿ってパイプが上下に移動できる踊り場２−５を設け、函２−２の底部にはレンズ４の切り込み４−４に嵌め込む為の幅と丈を有する部位２−４を設け、更に底部の後方にレンズ４に嵌め込んだ後に固定する固定ボルト２−６を設ける。鎧側面にはパイプ位置に踊り場２−５が有り装用時顔巾以上開いても、無理が掛からず、且つレンズ４周囲の固定線が伸縮して絶妙な掛け心地を得ることができる。【選択図】図６
2015034958.tif 000002
【特許請求の範囲】
【請求項１】
眼鏡フレーム・前傾角付テンプル開閉一体型鎧
本件は特許名「蝶番のない眼鏡フレーム（特許番号３９２４６８６）」と「過開き止具（実用新案第３１３９４１４号）」に新たに前傾角と首振りパイプ及び前記パイプの踊り場を設けた鎧とし、一対となるテンプルにも前傾角付カムを設け、前記鎧と前記テンプルを組み合わされ、前記首振りパイプにて固定され一体となる装置。
【発明の詳細な説明】
【技術分野】
【０００１】  本発明は特許第３９２４６８６号（蝶番のないメガネフレーム）・と実用新案第３１３９４１４号、（過開き止具（鎧））及びテンプルを格段に進化させたものであります。【０００２】  部位名称の変更に付いて
（実用新案第３１３９４１４号では過開き止具と命名しましたが）部位位置が業界では鎧と定着していて本件では「眼鏡フレーム・前傾角付テンプル開閉一体型鎧」と変更いたします。
【背景技術】
【０００３】  前記蝶番のないメガネフレームの概要はフチナシメガネで一組のプラスチックレンズを用いて作られます。
レンズの固定に孔の代わりにレンズの周囲に溝を切り、前記溝に固定線を張り巡らせてブリッジに繋留固定し、前記固定線を軸にしてテンプルが開閉される（登録済み）ものです
【先行技術文献】
【特許文献】
【０００４】
【特許文献１】特許第３９２４６８６号・特許名、蝶番のないメガネフレーム
【０００５】
【非特許文献１】実用新案第３１３９４１４号過開き止具
【発明の概要】
【発明が解決しようとする課題】
【０００６】  先に取得しました特許第３９２４６８６号及び実用新案第３１３９４１４号に付いて、図面  図１、図２、図３、図４、図５までは特許及び実用新案で登録済みで有ります。（説明上必要として図面を加えました）
如かしながら、特許名、蝶番のないメガネフレームには、眼鏡フレームに必要な前傾角の必須要件を有して居らず、商品化出来ませんでした。【０００７】  前記特許第３９２４６８６号、特許名「蝶番のないメガネフレーム」は、過去に前例の無い構造でありながら、前傾角を有しておらず、前記前傾角を作り出すことが急務でした。【０００８】  本発明により漸く蝶番のないメガネフレームに、前傾角を設ける事が出来ました従来のメガネフレームは鎧で前傾角を、蝶番で開閉をそれぞれ分担していましたが前記本件メガネフレームは蝶番が無く、鎧（相当位置）の単体の中で開閉と前記前傾角の二つの機能を設けることが難しく、長い時間を要しました。
【発明が解決するための手段】
【０００９】  眼鏡フレーム・前傾角付テンプル開閉一体型鎧
前記前傾角付テンプル開閉一体型鎧の図６は組み上がり図で前面板（２−１）と後部に小函（２−２）が接合され函状を成し・一体に組み合わされるテンプル（３−１）には先端寄り内側にカム（３−２）を設け前記カムにはパイプを納める孔（３−３）を設け、前記孔に納まる、首振りパイプ（３−４）は中央がくびれた形状を成す。
傾斜角を有する▲１▼鎧と▲２▼カム付テンプルを連結する▲３▼首振りパイプの３点が組み合わされて前傾角付テンプル開閉一体型鎧と成る。
【００１０】  前傾角付テンプル開閉一体型鎧（以降鎧と表記します）は図８前面板（２−１）と後部函（２−２）が合体し後部が箱状となり、前面上部から前傾角相応の傾斜角度（２−３ＡＢ）図７を持って曲面状に前記テンプルのカム（３−２）を嵌め込むための溝（２−３Ａ）（２−３Ｂ）を設け且つ、図１０鎧の後部側面には函の中央部に前面板背面にに沿って前記パイプが上下に移動できる踊り場（孔）（２−５）を設け、前記函の底部にはレンズの切り込み（４−４）に嵌め込む為の幅と丈を有する、図９（２−４）部位（嵌め込み代）を設け、更に前記底部の後方にレンズに嵌め込んだ後に固定する固定ボルト（２−６）を設ける。
【００１１】  前記鎧の、相手となる前記テンプル図１１（３−１）にも先端寄りの裏側に半月状のカム（３−２）を前記鎧の傾斜角（前傾角）と一致するように、図７前記傾斜角を付けて設けられ、前記カム（３−２）には中央部・後ろ寄りに（図１１）パイプ取付孔（３−３）を設け且つ、中に差し込まれるパイプが自由に首振りしやすい様に前記カム孔の両端に開口部（３−３ＡＢ）を設けています。又、前傾角を設けた事により前記テンプルを閉じた時に前記テンプルが下向きＸ状交差になるため、前記テンプルの前部の曲げ位置にて内向きに前傾角分だけ捻りを与えＸ状交差を解消致します。
【００１２】  前記鎧と前記テンプルを組み合わせ、且つ前記テンプルがスムーズに開閉する為の、前記首振りパイプには図１３（３−４Ａ）と前記カム孔に通した後、先端に取り付ける先端リング（３−４Ｂ）とからなり、前記首振りパイプの外観は中央にくびれを持ち、（以降パイプと表記）前記テンプルのカムの孔に納めて後もパイプが首振り出来る、又、パイプ両端にはパイプの中（３−５）を通過する固定線を傷つけないように（図１３）開口部（３−５ＡＢ）を設けています。
【００１３】  前傾角付テンプル開閉一体型鎧の組み立て・「００１０」の鎧の溝にに「００１１」のテンプルのカムを嵌め込みます、続いて「００１２」のパイプ（３−４Ａ）を鎧の踊り場（孔）、図１０（２−５）から、組み合わされているカムの孔（３−３）に差し込み、反対側の踊り場（孔）（２−５）から前記先端リング（３−４Ｂ）を填め込み、前記パイプ（３−４Ａ）から先端リング（３−４Ｂ）が外れないよう前記パイプ（３−４Ａ）の先端を広げ前傾角付テンプル開閉一体型鎧の組み合わせは完了ですが、眼鏡は左右一対の２枚のレンズから出来ており左右の関係は真逆に出来ているので、此まで申し述べた、前傾角等は。真逆にもう一枚のレンズの為に存在する事を申し添えます。
【００１４】  函座金について・前記函座金は前記鎧をレンズに装着する部品であって図１４角形でコの字型の縁（２−７）を有し、開口部（２−７Ｂ）を外向きに使用します。
先に完成されたレンズの外側の切り込み（４−４）に前記鎧の挿入部（２−４）を填め込み、前記鎧の後部ボルト（２−６）に前記函座金の開口部（２−７Ｂ）を外向きにして前記ボルトに填め込み、ナット（５−１）と袋ナット（５−２）により固定します、前記函座金の縁がレンズ切り込みの周囲を堅く押さえて固定します。
【００１５】  図１５Ｌ型座金はブリッジ側での今回改良された部位で、Ｌ型横長で中央には膨らみと、レンズ固定ボルトを通す孔（１−４Ｃ）を設け前方のレンズ接触面は滑らかに作られ、前記レンズを傷つけず、後部は（図１５）、レンズ受け（１−２）を覆うように、弾性素材を用いて作られます、（以降Ｌ型座と表示）。使用方法は前記レンズに前記鎧を取り付けて後、固定線を前記鎧のパイプ孔（３−５）に通し前記レンズ周囲の溝に沿わせブリッジのレンズ受け板の孔（１−２ＡＢ）に繋ぎ、前記レンズ内側の凹み（４−３）をブリッジのレンズ固定ボルト（１−３）に嵌めて後、前記Ｌ型座を用い、ナット（５−１）と袋ナット（５−２）により固定します。
【発明の効果】
【００１６】  柔ら構造のメガネフレームです・  一組の前記レンズ（４）はブリッジ側では前記レンズの凹み（４−３）と固定ボルト（１−３）及びレンズ受け（１−２）を組み合わせ、前記レンズをブリッジの先端後部とＬ型座金先端部（１−４Ａ）に挟まれ、レンズは固定されていません。
前記テンプル側では鎧が前記レンズに固定されますが、前記テンプルは半ば開いた処から固定線を少しだけ、徐々に伸ばしながら開きＶ字にまで開いた位置で止まります、Ｖ字以上に開いて初めてレンズに負荷がかかる為、装用時に顔巾より多めに開いても、前記テンプルは前記鎧の前記踊り場の中の開閉であって全くレンズに負荷が掛かりません。
【００１７】  丈夫な眼鏡フレームです・装用時の横からの負荷は前記テンプルで吸収し、又、前後の衝撃は前記ブリッジ先端とＬ型座金の先端部の挟みに依り吸収、上下の負荷はレンズ受け（１−２）とレンズ固定ボルトにレンズ凹部が組合わされ、レンズ凹部を軸として固定線が伸縮してレンズえの負荷を吸収し、乱視レンズの軸回転の発生をも防ぎます。
【００１８】  掛け心地の良い眼鏡フレームです・本件眼鏡フレームは柔ら構造で、鎧・側面のパイプ挿入孔の踊り場等によりテンプルの開閉が真にスムーズで、レンズ周囲の固定線の伸縮を利用して絶妙な装用感が得られます、又、ズリ下がりの少ないのも特色です。
【００１９】、フレームの素材を選びません・テンプルの素材は金属、セルロイド、竹材などを用いても軽やかな装用感を得られます。
【００２０】  安全性に付いて・本件眼鏡フレームは、前傾角付テンプル開閉一体型鎧を装備したことにより、眼鏡フレームは，前記鎧と一対をなすテンプルのカムに取り付けられるパイプの両端は前記鎧の中から外れる事がなく前記パイプの中を通過する固定線がたとえ切れたとしても前記鎧はレンズに堅く固定され、ブリッジ側ではブリッジ先端背面とＬ型座金により挟まれていて、眼鏡の形状は保たれ、メンテナンスを受けるまでの、ひとときの使用が可能にて安全で有ります。殊に自動車運転中などは、とても安心です。
【００２１】  加工ミスが減じました・前記鎧（テンプル開閉一体型鎧）の進化で・蝶番のない眼鏡フレームは一層加工ミスが減じました。
従来の穴開け型フチナシ眼鏡ではレンズのネジ穴開け位置が内側ではネジが届かず、外側ではフレームにガタツキが出来ます、高価な機器を使用すれば楽ですが津々浦々にまで普及は困難、又、コストアップにもなります。
本件メガネフレームはレンズ周囲に溝切りしますが、ナイロール眼鏡の普及で溝切り器が普及しており、溝切り作業までは容易と思います。
本件メガネレンズには溝切りに加えて前記レンズの内側に凹みを、外側に切り込みを作りますが、近年は高性能なレンズ加工機の出現により、本件のレンズ加工も容易に加工できますが、高性能なレンズ加工機の普及が津々浦々とはいきませんので、簡単で加工ミスの無い、手の平サイズの簡易切り込み加工機を作り対応しています。
【図面の簡単な説明】
【００２２】
【図１】  メガネ正面の内面図
【図２】  メガネ上部からの断面図
【図３】  レンズ正面加工図
【図４】  レンズの固定線（ナイロン糸等）
【図５】  レンズ周囲に溝切り図
【図６】  前傾角付テンプル開閉一体型鎧の組上がり図（図２左の点線内の拡大図です
【図７】  前傾角付テンプル開閉一体型鎧・組み合わせ図（前傾角表示）
【図８】  前傾角付テンプル開閉一体型鎧・単体の背後図
【図９】  前傾角付テンプル開閉一体型鎧・単体の（耳掛け部を除いた）側面図
【図１０】  前傾角付テンプル開閉一体型鎧・単体の（踊り場）断面図
【図１１】  テンプル単体側面図
【図１２】  前傾角付テンプル開閉一体型鎧・（耳掛け部を除いた）断面図
【図１３】  首振りパイプの拡大図
【図１４】  角形縁付き座金
【図１５】  カギ付座金図
【発明を実施するための形態】
【００２３】  前記蝶番のないメガネフレームはフチナシ眼鏡フレームの為、レンズ形状、レンズのサイズが全く自由に作ることが出来ます。
従って、メーカーではサイズ別に多種類を作る事、無駄に成るサイズを作る事も無く、結果として確実な利潤の確保が得られます。
また、眼鏡店においても売れ足の遠いサイズに悩ませられることも無く、オリジナルなデザイン、サイズ、染色等と少量のフレームから多種の眼鏡でお客様に対応出来ますので過大な在庫や無駄をなくする事ができます。
【産業上の利用の可能性】
【００２４】  総論的に申し上げれば従来の眼鏡フレームは素材の著しい進歩は有ったものの構造は各部とも固定型のいわゆる、剛構造に作られています。
それに比べて、本件蝶番のない眼鏡フレームはブリッジ側、テンプル側共に衝撃を吸収する、柔ら構造に成っております。
前記蝶番のない眼鏡フレームは素材を選ばず、可塑剤から貴金属まで、あるいは竹、堅い木材等まで使用可能で、構造上から得られる「掛け心地とズリ下がりの少ない、特徴を」手にすることが出来ます。
従来に無い構造の為、眼鏡店段階での調整が難しいのではの意見もありましたので、急遽「手のひらサイズのレンズ加工器」も考案し、並行して提供出来る事も申し添えます、加えてフチナシ眼鏡の為、眼鏡店の段階でもデザイン、サイズ共に自由に作れ、最終消費者の皆様とのコミニュケーションも広がり活性化の一助に成ればと願っています。
【符号の説明】
【００２５】（１）          ブリッジ
（１−２）      レンズ受け
（１−２ＡＢ）  レンズ受けの孔
（１−３）      レンズ固定ボルト
（１−４）      レンズ止め座金
（１−４Ａ）    （ブリッジ側レンズ押さえ）Ｌ型座金の先端部
（１−４Ｂ）    （ブリッジ側レンズ押さえ）Ｌ型座金の後部
（１−４Ｃ）    （ブリッジ側レンズ押さえ）Ｌ型座金の孔
（２−１）      前傾角付開閉一体型鎧・前面
（２−２）      前傾角付開閉一体型鎧・後部（函）
（２−３Ａ）    カムの入る・切り込
（２−３Ｂ）    カムの入るスペース
（２−４）      レンズえの挿入部
（２−５）      パイプの踊り場
（２−６）      レンズ固定ボルト
（２−７）      レンズ固定（縁付座金）函座
（２−７Ａ）    （縁付座金）函座の孔
（２−７Ｂ）    （縁付座金）函座の開口部
（３−１）      テンプル
（３−２）      カム
（３−３）      カム・パイプ取付の穴
（３−３ＡＢ）  カム孔周りの凹み
（３−４Ａ）    パイプ（先端に（３−４Ｂ）を嵌め込）
（３−４Ｂ）    パイプ・先端リング
（３−５）      パイプの孔
（３−５ＡＢ）  パイプ孔両端の開口部
（４）          左右一組のレンズ
（４−１）      レンズ固定線（ナイロン等）
（４−２）      レンズ周囲の溝切り
（４−３）      レンズ内側の凹み
（４−４）      レンズ外側の切り込み
（５−１）      ナット
（５−２）      袋ナット
【図１】
2015034958.tif 000003
【図２】
2015034958.tif 000004
【図３】
2015034958.tif 000005
【図４】
2015034958.tif 000006
【図５】
2015034958.tif 000007
【図６】
2015034958.tif 000008
【図７】
2015034958.tif 000009
【図８】
2015034958.tif 000010
【図９】
2015034958.tif 000011
【図１０】
2015034958.tif 000012
【図１１】
2015034958.tif 000013
【図１２】
2015034958.tif 000014
【図１３】
2015034958.tif 000015
【図１４】
2015034958.tif 000016
【図１５】
2015034958.tif 000017